(57)【要約】【課題】グレンタンク１２の穀粒貯留量を適切に把握することができるとともに、穀粒貯留量の表示についての視認性を向上することができる作業機の表示装置の提供を目的とする。【解決手段】容器であるグレンタンク１２の内容量である穀粒貯留量を表示可能なコンバイン１の表示装置２７において、単位目盛り分に相当する穀粒貯留量の増減の過程が、その増減に応じて連続して変化する図形である図形３３Ｘによって穀粒貯留計３３の対応する単位目盛り間である単位目盛り単位目盛り３３ｃと単位目盛り３３ｄとの間に表示される。【選択図】図５
2014176312.tif 000002
【特許請求の範囲】
【請求項１】
容器の内容量を表示可能な作業機の表示装置において、
単位目盛り分に相当する内容量の増減の過程が、その増減に応じて連続して変化する図形によって対応する単位目盛り間に表示される作業機の表示装置。
【請求項２】
前記図形が前記内容量の増減に応じて連続して変化する場合に、前記対応する単位目盛り間の図形の表示状態が周期的に変化する請求項１に記載の作業機の表示装置。
【発明の詳細な説明】
【技術分野】
【０００１】
本発明は、作業機の表示装置に関する。
【背景技術】
【０００２】
従来、コンバイン等の作業機の運転状態を表示するための表示装置が知られている。作業機の走行速度、エンジン回転速度、エンジン負荷率、作業機の作業状態、および各種タンクの内容量等を表示するものである。例えば、コンバインにおいて、操縦席に設けられた液晶表示装置（ＬＣＤ表示器）にグレンタンクの図形を表示させるとともに、グレンタンクの穀粒貯留レベルをグレンタンクの図形に段階的に図形（絵）表示を出力する表示装置がある。例えば、特許文献１に記載の如くである。
【０００３】
しかし、特許文献１に記載の表示装置は、内容物（穀粒）の増減量が単位目盛り相当分に達した段階で絵表示出力を更新する構成であり、作業者がその表示の変化を的確に認識することが難しい場合があった。また、内容物の増減量が単位目盛り相当分以上になるまで作業者が内容量を把握することができない点で不利であった。
【先行技術文献】
【特許文献】
【０００４】
【特許文献１】特開２００２−２４７９１０号公報
【発明の概要】
【発明が解決しようとする課題】
【０００５】
本発明は、このような問題を解決すべくなされたものであり、容器の内容量を適切に把握することができるとともに、内容量の表示についての視認性を向上することができる作業機の表示装置の提供を目的とする。
【課題を解決するための手段】
【０００６】
本発明の解決しようとする課題は以上の如くであり、次にこの課題を解決するための手段を説明する。
【０００７】
即ち、請求項１においては、容器の内容量を表示可能な作業機の表示装置において、単位目盛り分に相当する内容量の増減の過程が、その増減に応じて連続して変化する図形によって対応する単位目盛り間に表示されるものである。
【０００８】
請求項２においては、前記図形が前記内容量の増減に応じて連続して変化する場合に、前記対応する単位目盛り間の図形の表示状態が周期的に変化するものである。
【発明の効果】
【０００９】
本発明の効果として、以下に示すような効果を奏する。
【００１０】
請求項１に記載の発明によれば、経時的な変化に追従するようにして容器の内容量が表示される。これにより、容器の内容量を適切に把握することができるとともに、内容量の表示についての視認性を向上することができる。
【００１１】
請求項２に記載の発明によれば、現在の内容量に対応する図形の表示が強調される。これにより、容器の内容量を適切に把握することができるとともに、内容量の表示についての視認性を向上することができる。
【図面の簡単な説明】
【００１２】
【図１】本発明に係る一実施形態の作業機であるコンバインの側面図。
【図２】本発明に係る一実施形態の作業機であるコンバインの制御構成を示すブロック図。
【図３】本発明に係る一実施形態の作業機であるコンバインの表示装置における表示画面の構成を示す図。
【図４】（ａ）本発明に係る一実施形態の作業機であるコンバインの表示装置において穀粒貯留量がゼロの場合の穀粒貯留計の表示を示す図（ｂ）同じく、穀粒貯留量がグレンタンクの容量の１／５の場合の穀粒貯留計の表示を示す図（ｃ）同じく、穀粒貯留量がグレンタンクの容量の２／５の場合の穀粒貯留計の表示を示す図。
【図５】（ａ）本発明に係る一実施形態の作業機であるコンバインの表示装置において穀粒貯留量がグレンタンクの容量の２／５より多く３／５より少ない場合の穀粒貯留計の表示を示す図（ｂ）同じく、穀粒貯留量が（ａ）の状態よりも増加した場合の穀粒貯留計の表示を示す図。
【図６】（ａ）本発明に係る他の実施形態の作業機であるコンバインの表示装置において穀粒貯留量がグレンタンクの容量の２／５より多く３／５より少ない場合の穀粒貯留計の表示を示す図（ｂ）同じく、穀粒貯留計の表示態様が（ａ）の状態から変化した場合を示す図。
【発明を実施するための形態】
【００１３】
まず、図１と図２とを用いて本発明の一実施形態である表示装置２７を備えたコンバインについて説明する。なお、表示装置２７を備える作業機は、本実施形態に限定されるものではなく、トラクタやバックフォー等の作業機であればよい。
【００１４】
図１と図２とに示すように、コンバイン１には、機体フレーム３に対して、走行部２、作業装置である刈取部５、脱穀部９、選別部１０、穀粒貯溜部１１および操縦部１４等が備えられる。
【００１５】
走行部２は、機体を前進または後進方向に走行させるものである。走行部２は、機体フレーム３の下部に設けられる。走行部２は、左右一対のクローラを有するクローラ式走行装置４から構成される。走行部２には、機体の走行速度を検出する走行速度センサー２０が設けられる（図２参照）。
【００１６】
刈取部５は、圃場の穀稈を刈り取るものである。刈取部５は、機体フレーム３の前端部（機体の前部）に機体に対して昇降可能に設けられる。刈取部５は、圃場の穀稈を引起装置６により引き起こし、引起後の穀稈の株元を切断装置７により切断し、切断後の穀稈を切断装置８により脱穀部９側へ搬送するように構成される。
【００１７】
脱穀部９は、穀稈を脱穀するものである。脱穀部９は、機体フレーム３の左側前部であって、刈取部５の後方に設けられる。脱穀部９は、刈取部５から搬送される穀稈を受け継いで、搬送中の穀稈を前記扱胴等により脱穀し、その脱穀処理物を選別部１０へ落下させるように構成される。脱穀部９には、脱穀部９の負荷を検出する脱穀部負荷センサー２４が設けられる（図２参照）。
【００１８】
選別部１０は、脱穀物を穀粒と排藁等とに選別するものである。選別部１０は、機体フレーム３の左側部であって、脱穀部９の下方に設けられる。選別部１０は、脱穀部９から落下した処理物を揺動選別装置により揺動選別および風選別により、穀粒、穂付粒、未脱粒、排藁および塵埃等に選別する。そして、選別部１０は、選別した穀粒を穀粒貯溜部１１へ搬送し、穂付粒および未脱粒を脱穀部９へ搬送し、排藁および塵埃等を外部へ排出するように構成される。選別部１０には、選別部１０の負荷を検出する選別部負荷センサー２５が設けられる（図２参照）。
【００１９】
穀粒貯溜部１１は、脱穀、選別された穀粒を貯溜するものである。穀粒貯溜部１１は、機体フレーム３の右側後部であって、脱穀部９および選別部１０の右側方に設けられる。穀粒貯溜部１１は、グレンタンク１２と、穀粒排出装置１３等とから構成される。穀粒貯溜部１１は、選別部１０から搬送されてくる穀粒をグレンタンク１２に貯溜するとともに、グレンタンク１２に貯溜される穀粒を穀粒排出装置１３により機体の外部へ排出するように構成される。グレンタンク１２には、穀粒貯留量を検出する重量センサー２３が設けられる（図２参照）。
【００２０】
操縦部１４は、作業者によるコンバイン１の操縦が行われる。操縦部１４は、機体フレーム３の右側前部であって、刈取部５の右側方に設けられる。操縦部１４は、キャビン１５内に操縦席１６を中心にしてその周辺にコンバイン１を操作する操作具１７や表示装置２７（図２参照）が配置される。また、操作具１７からの信号によりエンジン１８や各作業装置を制御するＥＣＵ１９（図２参照）が設けられる。
【００２１】
図２に示すように、ＥＣＵ１９は、エンジン１８や各種作業装置等を制御するものである。ＥＣＵ１９は、エンジン１８や各作業装置等を制御するために種々のプログラムが格納される。また、ＥＣＵ１９は、これらのプログラム等に従って所定の演算を行うことができ、当該演算の結果等を記憶することができる。ＥＣＵ１９は、実体的には、ＣＰＵ、ＲＯＭ、ＲＡＭ、ＨＤＤ等がバスで接続される構成であってもよく、あるいはワンチップのＬＳＩ等からなる構成であってもよい。
【００２２】
ＥＣＵ１９は、機体の走行速度センサー２０とエンジン１８の回転速度センサー２１とに接続され、走行速度センサー２０と回転速度センサー２１とが検出する走行速度とエンジン１８の回転速度とを取得することが可能である。
【００２３】
ＥＣＵ１９は、燃料計２２に接続され、燃料計２２が検出する図示しない燃料タンク内の燃料残量を取得することが可能である。
【００２４】
ＥＣＵ１９は、グレンタンク１２の重量センサー２３に接続され、グレンタンク１２の重量センサー２３からの信号を取得することが可能である。なお、本実施形態において重量センサー２３によってグレンタンク１２の内容量を検出する構成としたが、これに限定されず内容量を検出できるものであればよい。
【００２５】
ＥＣＵ１９は、脱穀部負荷センサー２４と選別部負荷センサー２５とに接続され、脱穀部負荷センサー２４と選別部負荷センサー２５とからの信号を取得することが可能である。
【００２６】
ＥＣＵ１９は、変速装置２６に接続され、変速装置２６からの信号を取得することが可能である。
【００２７】
ＥＣＵ１９は、エンジン１８（エンジン１８に設けられる図示しない各種センサーや燃料噴射装置）に接続され、各種センサーからの信号を取得し、エンジン１８を制御することが可能である。
【００２８】
ＥＣＵ１９は、表示装置２７の制御装置２９に接続され、制御装置２９から各種信号を取得することが可能である。
【００２９】
コンバイン１は、操縦部１４での操作具類の操作によって、エンジン１８の動力を各作業装置に伝達して、走行部２にて機体を走行させながら、刈取部５で圃場の穀稈を刈り取り、脱穀部９で刈取部５からの穀稈を脱穀し、選別部１０で脱穀部９からの処理物を選別して、穀粒貯溜部１１で選別部１０からの穀粒を貯溜すると同時に脱穀部９からの排藁を外部へ排出することができるように構成される。
【００３０】
次に、図２と図３とを用いて表示装置２７について具体的に説明する。
【００３１】
図２と図３とに示すように、表示装置２７は、コンバイン１に関する各種情報を表示するものである。表示装置２７は、液晶表示器２８と制御装置２９とから構成される。液晶表示器２８は、操縦部１４の操縦席１６に操縦者が着座した際に視認可能かつ操作可能な位置に配置される（図１参照）。表示装置２７は、制御装置２９から伝達される各種信号に基づいて対応する図形が表示可能に構成される。
【００３２】
液晶表示器２８は、伝達される信号に応じて文字や図形を表示し、信号を入力するものである。液晶表示器２８は、文字や図形を表示するとともに、画面に接触することによって信号を入力可能なタッチパネルで構成してもよい。液晶表示器２８は、走行速度、エンジン１８の回転速度、穀粒貯留量、燃料残量、脱穀部負荷、選別部負荷、運転時間、変速表示、および各種警報を表示可能に構成される。なお、液晶表示器２８の表示画面３０に表示される文字や図形は、本実施形態におけるものに限定されるものではない。
【００３３】
液晶表示器２８の表示画面３０の略中央には、走行速度が数値で表示される走行速度計３１が配置される。表示画面３０における走行速度計３１の上方には、エンジン１８の回転速度が表示される回転速度計３２が配置される。回転速度計３２は、円弧状のメーターを模した図形によって構成される。
【００３４】
表示画面３０における左方には、グレンタンク１２の穀粒貯留量が表示される穀粒貯留計３３が配置される。穀粒貯留計３３は、グレンタンク１２を模した図形に基準となる単位目盛り３３ａ・３３ｂ・３３ｃ・３３ｄ・３３ｅ・３３ｆが付されて構成される。表示画面３０における右方には、燃料残量が表示される燃料残量計３４が配置される。燃料残量計３４は、穀粒貯留計３３と同様にレベルゲージを模した図形に基準となる単位目盛りが付されて構成される。
【００３５】
表示画面３０における走行速度計３１の下方には、脱穀モニタ３５と選別モニタ３６とが配置される。脱穀モニタ３５は、所定の領域が所定の表示色で表示可能に構成される。選別モニタ３６は、所定の領域が所定の表示色で表示可能に構成される。表示画面３０における脱穀モニタ３５と選別モニタ３６との下方には、運転時間、変速装置２６の状態および各種警報を数値や文字で表示する情報表示領域３７が配置される。
【００３６】
液晶表示器２８は、制御装置２９に接続され、制御装置２９から走行速度、回転速度、穀粒貯留量、燃料残量、脱穀部負荷、選別部負荷、運転時間、変速表示、および各種警報に関する信号を取得することが可能である。
【００３７】
制御装置２９は、液晶表示器２８を制御するものである。制御装置２９は、液晶表示器２８またはＥＣＵ１９と一体的または別体として構成される。制御装置２９は、液晶表示器２８を制御するために種々のプログラムが格納される。また、制御装置２９は、これらのプログラム等に従って所定の演算を行うことができ、当該演算の結果等を記憶することができる。制御装置２９は、実体的には、ＣＰＵ、ＲＯＭ、ＲＡＭ、ＨＤＤ等がバスで接続される構成であってもよく、あるいはワンチップのＬＳＩ等からなる構成であってもよい。
【００３８】
制御装置２９は、ＥＣＵ１９に接続され、ＥＣＵ１９からの走行速度、回転速度、穀粒貯留量、燃料残量、脱穀部負荷、選別部負荷、運転時間、変速表示、および各種警報に関する信号を取得することが可能である。
【００３９】
制御装置２９は、ＥＣＵ１９からの走行速度、回転速度、穀粒貯留量、燃料残量、脱穀部負荷、選別部負荷、運転時間、変速表示、および各種警報に関する信号に基づいて液晶表示器２８に所定の文字や図形等を表示させることが可能である。また、制御装置２９は、液晶表示器２８から入力された各種信号を取得することが可能である。すなわち、制御装置２９は、コンバイン１についての情報を各種信号に基づいて液晶表示器２８に表示し、液晶表示器２８からの入力信号をＥＣＵ１９に伝達することが可能である。
【００４０】
次に、図２および図３を用いて、表示装置２７の制御装置２９によって液晶表示器２８に表示される情報について説明する。
【００４１】
図２に示すように、制御装置２９は、ＥＣＵ１９から走行速度、回転速度、穀粒貯留量、燃料残量、脱穀部負荷、選別部負荷、運転時間、変速表示、および各種警報に関する信号を取得すると、当該信号に基づいて所定の文字や図形等を液晶表示器２８に表示するように信号を伝達する。
【００４２】
具体的には、図３に示すように、液晶表示器２８の走行速度計３１には、ＥＣＵ１９から取得した走行速度に関する信号に基づいて走行速度が数値により表示される。液晶表示器２８の回転速度計３２には、ＥＣＵ１９から取得した回転速度に関する信号に基づいて、対応する目盛り部分を所定の表示色で点灯させることにより回転速度が表示される。
【００４３】
液晶表示器２８の穀粒貯留計３３には、ＥＣＵ１９から取得した穀粒貯留量に関する信号に基づいて、対応する単位目盛り間に所定の表示色の図形を点灯させることにより穀粒貯留量が表示される。液晶表示器２８の燃料残量計３４には、ＥＣＵ１９から取得した燃料残量に関する信号に基づいて、対応する単位目盛り間に所定の表示色の図形を点灯させることにより燃料残量が表示される。
【００４４】
液晶表示器２８の脱穀モニタ３５には、ＥＣＵ１９から取得した脱穀部負荷に関する信号に基づいて、対応する領域に所定の表示色の図形を点灯させることにより脱穀部負荷が表示される。液晶表示器２８の選別モニタ３６には、ＥＣＵ１９から取得した選別部負荷に関する信号に基づいて、対応する領域に所定の表示色の図形を点灯させることにより選別部負荷が表示される。液晶表示器２８の情報表示領域３７には、ＥＣＵ１９から取得した運転時間、変速装置２６の状態および各種警報に関する信号に基づいて、情報表示領域３７に数値や文字によって所定の情報が表示される。
【００４５】
以下では、図４および図５を用いて制御装置２９による穀粒貯留計３３の表示態様について具体的に説明する。
【００４６】
図４（ａ）に示すように、穀粒貯留計３３は、ゼロ目盛り３３ａから順に、第１単位目盛り３３ｂ、第２単位目盛り３３ｃ、第３単位目盛り３３ｄ、第４単位目盛り３３ｅ、第５単位目盛り３３ｆまで付されている。穀粒貯留計３３のゼロ目盛り３３ａは、グレンタンク１２の穀粒貯留量がゼロに相当する場合を示す。穀粒貯留計３３の第５目盛りは、グレンタンク１２の穀粒貯留量が最大に相当する場合を示す。穀粒貯留計３３の第１目盛りから第４目盛りは、グレンタンク１２の最大容量を５等分した量がそれぞれ割り当てられる。すなわち、穀粒貯留計３３の第１目盛りは、グレンタンク１２の穀粒貯留量がグレンタンク１２の最大容量の１／５に相当する場合を示す。同様にして、穀粒貯留計３３の第２目盛りから第４目盛りは、グレンタンク１２の最大容量の２／５からグレンタンク１２の最大容量の４／５に相当する場合を示す。
【００４７】
制御装置２９は、ＥＣＵ１９を介して取得したグレンタンク１２の重量センサー２３からの信号により穀粒貯留量がゼロであると判断した場合、穀粒貯留計３３において所定の表示色による点灯を行わない。すなわち、制御装置２９は、穀粒貯留計３３の全ての単位目盛り間に何も表示させない。
【００４８】
図４（ｂ）に示すように、制御装置２９は、重量センサー２３からの信号により穀粒貯留量がグレンタンク１２の最大容量の１／５であると判断した場合、穀粒貯留計３３においてゼロ目盛り３３ａと第１単位目盛り３３ｂとの間に図形３３Ｖを所定の表示色で点灯させる。
【００４９】
図４（ｃ）に示すように、制御装置２９は、重量センサー２３からの信号により穀粒貯留量がグレンタンク１２の最大容量の２／５であると判断した場合、穀粒貯留計３３においてゼロ目盛り３３ａと第１単位目盛り３３ｂとの間の図形３３Ｖに加えて、第１単位目盛り３３ｂと第２単位目盛り３３ｃとの間に図形３３Ｗを所定の表示色で点灯させる。
【００５０】
図５（ａ）に示すように、制御装置２９は、重量センサー２３からの信号により穀粒貯留量がグレンタンク１２の最大容量の２／５よりも多く３／５よりも小さいと判断した場合、穀粒貯留計３３において図４（ｃ）に示す点灯状態に加えて、第２単位目盛り３３ｃと第３単位目盛り３３ｄとの間にグレンタンク１２の最大容量の２／５よりも多い穀粒貯留量に相当する割合の領域に図形３３Ｘを所定の表示色で点灯させる。図５（ｂ）に示すように、制御装置２９は、さらに穀粒貯留量が増加したと判断した場合、増加した穀粒貯留量に相当する割合の領域を含むように図形３３Ｘを連続的に変形させて所定の表示色で点灯させる。
【００５１】
すなわち、制御装置２９は、穀粒貯留量が各単位目盛りにそれぞれ相当する量よりも多い場合または少ない場合、単位目盛り間の領域のうち各単位目盛りからの余剰分または不足分に相当する割合の領域にだけ図形を所定の表示色によって点灯させる。従って、穀粒貯留計３３は、経時的な穀粒貯留量の増減に応じた形状の図形が所定の表示色で連続的に点灯するように制御される。さらに、制御装置２９は、複数の単位目盛りが付された燃料残量計３４についても同様の制御を行うことが可能である。
【００５２】
以下では、図６を用いて、本実施形態の他の実施形態にかかる制御装置２９による穀粒貯留計３３の表示態様について具体的に説明する。なお、以下の実施形態において、既に説明した実施形態と同様の点に関してはその具体的説明を省略し、相違する部分を中心に説明する。
【００５３】
制御装置２９は、穀粒貯留計３３において、穀粒貯留量の増減が生じている単位目盛り間の図形が点滅するように制御する。具体的には、制御装置２９は、重量センサー２３からの信号により穀粒貯留量がグレンタンク１２の最大容量の２／５よりも多く３／５よりも小さいと判断した場合、前述の制御に加え、図６（ａ）の状態と図６（ｂ）の状態とを繰り返すようにして第２単位目盛り３３ｃと第３単位目盛り３３ｄとの間の図形３３Ｘを周期的に点滅させる。
【００５４】
すなわち、制御装置２９は、穀粒貯留量が各単位目盛りに相当する量よりも多い場合または少ない場合、単位目盛り間の領域のうち、各単位目盛りからの余剰分または不足分に相当するする割合の領域に点灯させた図形を周期的に変化させる。さらに、制御装置２９は、複数の単位目盛りが付された燃料残量計３４についても同様の制御を行うことが可能である。
【００５５】
以上の如く、本発明に係る容器であるグレンタンク１２の内容量である穀粒貯留量を表示可能なコンバイン１の表示装置２７において、単位目盛り分に相当する穀粒貯留量の増減の過程が、その増減に応じて連続して変化する図形である図形３３Ｘによって穀粒貯留計３３の対応する単位目盛り間である単位目盛り単位目盛り３３ｃと単位目盛り３３ｄとの間に表示されるものである。
このように構成することにより、経時的な変化に追従するようにしてグレンタンク１２の穀粒貯留量が穀粒貯留計３３に表示される。これにより、グレンタンク１２の穀粒貯留量を適切に把握することができるとともに、穀粒貯留計３３による穀粒貯留量の表示についての視認性を向上することができる。
【００５６】
また、図形３３Ｘが穀粒貯留量の増減に応じて連続して変化する場合に、対応する単位目盛り間である単位目盛り単位目盛り３３ｃと単位目盛り３３ｄとの間の図形３３Ｘの表示状態が周期的な変化として点滅するものである。
このように構成することにより、現在の穀粒貯留量に対応する図形３３Ｘの表示が強調される。これにより、グレンタンク１２の穀粒貯留量を適切に把握することができるとともに、穀粒貯留量の表示についての視認性を向上することができる。
【００５７】
なお、本実施形態において、穀粒貯留量の表示態様について適用されているが、これに限定されるものではなく、容器の内容量についての表示であればよい。例えば、燃料残量の表示態様（燃料残量計３４）や、施肥器における肥料タンクの残量の表示態様等に適用してもよい。
【符号の説明】
【００５８】
１    コンバイン
２７    表示装置
Ｇｌ    穀粒貯留量
３３    穀粒貯留計
３３Ｘ  図形
【図１】
2014176312.tif 000003
【図２】
2014176312.tif 000004
【図３】
2014176312.tif 000005
【図４】
2014176312.tif 000006
【図５】
2014176312.tif 000007
【図６】
2014176312.tif 000008